【手続補正書】
【提出日】令和3年3月3日(2021.3.3)
【手続補正１】
【補正対象書類名】明細書
【補正対象項目名】００１３
【補正方法】変更
【補正の内容】
【００１３】
本願記載のスイッチ装置及びキー入力装置は、押下部材を押下した際に、可動部材の移動に伴い揺動部材が揺動し、支持部材を衝打する。
【手続補正２】
【補正対象書類名】明細書
【補正対象項目名】００１４
【補正方法】変更
【補正の内容】
【００１４】
本発明に係るスイッチ装置及びキー入力装置は、使用者の押下操作により押下方向へ移動する可動部材と、支持部材により揺動自在に支持された揺動部材とを備え、可動部材の移動に伴う押圧により、揺動部材が揺動し、支持部材を衝打する。これにより、本発明は、押下操作に伴う音を発生させる等の優れた効果を奏する。
【手続補正３】
【補正対象書類名】明細書
【補正対象項目名】００２０
【補正方法】変更
【補正の内容】
【００２０】
図２Ａに示すように、キースイッチ１にキートップ１２を取り付けた状態で、使用者はキーボードＫＢを操作可能となる。使用者がキーボードＫＢに配設されたキースイッチ１のキートップ１２に触れ、キートップ１２を押下する操作を行うことにより、キースイッチ１では、電気回路の接離状態が切り替わり、接離状態の切り替わりを検出したキーボードＫＢから、接続されているパーソナルコンピュータ等の電子機器へキースイッチ１毎のオン信号が出力される。また、キートップ１２の押下を解除することにより、押下から解放されたキースイッチ１は、上昇して元の位置に復帰する。
【手続補正４】
【補正対象書類名】明細書
【補正対象項目名】００２３
【補正方法】変更
【補正の内容】
【００２３】
固定部材１０の内部には、底部から二重の内壁が突設されている。内側の第１内壁１０２は、円筒状をなしており、外側の第２内壁１０３は、角筒状をなしている。第１内壁１０２の内側には、可動部材１１の下面から延びる角柱状の押圧柱１１０、揺動部材１５、支持部材１６、連動部材１７等の部材が配置されている。第１内壁１０２及び第２内壁１０３の間には、可動部材１１を押下方向の反対方向へ押圧する圧縮コイルバネ等の弾性部材１３が取り付けられている。弾性部材１３は、下端が固定部材１０の内底面に取り付けられ、上端で可動部材１１を上方へ押圧している。第２内壁１０３の外側には、電気的な接離状態を切り替えるスイッチとなる接点部材１４が固定部材１０の内底面に圧入により立設されている。接点部材１４は、２枚の金属板を成型して組み合わせた角筒状をなしており、第２内壁１０３の周囲を囲うように嵌め込まれている。また、接点部材１４の下端からは、２枚の金属板からそれぞれ延びる２本の端子１４０が下方へ向けて突出している。２本の端子１４０は、固定部材１０の底部を突き抜けて固定部材１０の下面から更に下方へ突出している。
【手続補正５】
【補正対象書類名】明細書
【補正対象項目名】００２７
【補正方法】変更
【補正の内容】
【００２７】
連動部材１７は、上面視で底面が略Ｕ字形状をなすように切り欠きが凹設された角柱状に形成されている。Ｕ字の凹部の内底に相当する面は、上方へ向けてテーパー状に傾斜が付けられた被押圧面１７０として形成されており、可動部材１１の押圧柱１１０に形成された押圧面１１０ａが当接する。Ｕ字の凹部の底の外側に相当する被押圧面１７０の反対側の面には、揺動部材１５を押圧する第２押圧突起１７１が突設されている。なお、連動部材１７は、固定部材１０の第１内壁１０２の内側に形成された図示しない規制部により動作方向を規制されており、横方向、図４に例示する視点からは、図に向かって左右方向にのみ動作する。
【手続補正６】
【補正対象書類名】明細書
【補正対象項目名】００２８
【補正方法】変更
【補正の内容】
【００２８】
連動部材１７は、可動部材１１の押圧柱１１０と連携することにより、スライドカム機構を形成し、可動部材１１の上下方向の移動に連動して横方向（図４に向かって左右方向）に動作する。より具体的には、可動部材１１の押圧柱１１０に傾斜をつけて形成された押圧面１１０ａが、連動部材１７の傾斜を付けて形成された被押圧面１７０に当接するように配置される。そして、可動部材１１が下方へ移動すると、可動部材１１の押圧柱１１０に形成された押圧面１１０ａが、連動部材１７の被押圧面１７０を押圧しながら摺動することにより、連動部材１７は、可動部材１１の移動に従動する。即ち、カムドライバとして動作する可動部材１１の移動に対して、連動部材１７は、従動するカムスライダとして動作する。カムスライダとして動作する連動部材１７の動作方向は、横方向に規制されているため、連動部材１７は図４に向かって左方向へ移動するように動作する。即ち、可動部材１１と連動部材１７とが連携して形成されたスライドカム機構により、連動部材１７は、可動部材１１の移動方向である上下方向と異なる横方向へ動作する。連動部材１７は、可動部材１１に連動して動作することにより、揺動部材１５を左方向（第１方向）へ押圧する。また、可動部材１１が上死点まで上昇し、連動部材１７が可動部材１１の押圧から解放されると、連動部材１７は揺動部材１５から右方向（第２方向）へ押圧され、右方向へ移動し、元の位置へ復帰する。
【手続補正７】
【補正対象書類名】明細書
【補正対象項目名】００３０
【補正方法】変更
【補正の内容】
【００３０】
図５は、本願記載のキースイッチ１が備える揺動部材１５及び支持部材１６の一例を示す概略断面図である。図５は、キースイッチ１が備える構成のうち、揺動部材１５及び支持部材１６、並びに連動部材１７を取り出して拡大して示している。図３乃至図５を参照して、揺動部材１５、支持部材１６及び連動部材１７の構成を更に説明する。揺動部材１５を支持する支持部材１６は、下端に第１支持部１６０と、第１支持部１６０の上方となる中央近傍に第２支持部１６１とが形成されており、第１支持部１６０及び第２支持部１６１により揺動部材１５を支持している。支持部材１６の上部には、揺動部材１５の上端の左側に、揺動部材１５側に向かって突出する被衝打部１６２が形成されている。
【手続補正８】
【補正対象書類名】明細書
【補正対象項目名】００３４
【補正方法】変更
【補正の内容】
【００３４】
図６Ｂ及び図７Ｂは、使用者の押下操作により、キースイッチ１のキートップ１２が押下されて、可動部材１１が下死点まで移動した状態を示している。可動部材１１が下死点まで移動することにより、可動部材１１の押圧柱１１０に形成された押圧面１１０ａが連動部材１７の被押圧面１７０に当接し、被押圧面１７０を押圧しながら摺動する。可動部材１１に押圧された連動部材１７は、可動部材１１の移動に対して従動するカムスライダとして動作し、左方向へ移動して第２押圧突起１７１により揺動部材１５を押圧する。連動部材１７から押圧された揺動部材１５は、第１支持部１６０に支持された揺動支点１５０を軸に左方へ揺動する。揺動部材１５は、下死点まで移動する可動部材１１に連動した連動部材１７により更に左方へ押圧されると、弓バネ部１５２が第２支持部１６１に支持された状態で揺動し、弓バネ部１５２が撓んで反転するスナップアクションを起こす。弓バネ部１５２が反転することにより、揺動部材１５の衝打部１５１は勢いよく左側へ撓み、支持部材１６の被衝打部１６２を衝打し、衝打の際に音及び振動が発生する。また、可動部材１１が上死点から下死点まで移動する過程で、可動部材１１の押圧側壁１１３に突設された第１押圧突起１１３ａが、接点部材１４の可動片１４１ｂを押圧し、接点部材１４の接離状態が切り替わる。接点部材１４の接離状態が切り替わることにより、当該キースイッチ１が押下されたことを示すオン信号がキーボードＫＢから電子機器へ出力される。
【手続補正９】
【補正対象書類名】明細書
【補正対象項目名】００３７
【補正方法】変更
【補正の内容】
【００３７】
可動部材１１が下死点まで移動した後、使用者がキートップ１２の押下を解除することにより、押圧から解放された可動部材１１は、下方から弾性部材１３に押圧されて上死点まで移動する。また、可動部材１１が上死点まで移動することにより、連動部材１７は、可動部材１１からの押圧から解放される。揺動部材１５は、弓バネ部１５２により、衝打部１５１側が右方向へ付勢されているため、第１支持部１６０を揺動軸として衝打部１５１側が右側へ揺動し、弓バネ部１５２が反転状態から復帰して、衝打部１５１側を更に付勢して衝打部１５１側が右側へ撓む。また、揺動部材１５は、弓バネ部１５２による付勢
により、第１支持部１６０を揺動軸とした揺動によっても右側へ撓む。揺動部材１５が右側へ撓むことにより、可動部材１１の押圧から解放された連動部材１７は、揺動部材１５から押圧されて右側へ移動する。そして、図６Ａ及び図７Ａに示す状態に復帰する。
【手続補正１０】
【補正対象書類名】図面
【補正対象項目名】図３
【補正方法】変更
【補正の内容】
【図３】
2020136103.tif 000001
【手続補正１１】
【補正対象書類名】図面
【補正対象項目名】図４
【補正方法】変更
【補正の内容】
【図４】
2020136103.tif 000002
【手続補正１２】
【補正対象書類名】図面
【補正対象項目名】図６Ａ
【補正方法】変更
【補正の内容】
【図６Ａ】
2020136103.tif 000003
【手続補正１３】
【補正対象書類名】図面
【補正対象項目名】図６Ｂ
【補正方法】変更
【補正の内容】
【図６Ｂ】
2020136103.tif 000004